(57)【要約】【課題】フラッシュ水の薬液タンクへの浸入を防止するようにした薬液吐出容器を提供すること。【解決手段】薬液を収容する薬液タンク１と、薬液タンク１の底部から垂下し、先端開口部２１に薬液タンク１の薬液を保持する薬液吐出ノズル２とを備えた薬液吐出容器において、薬液吐出ノズル２の中間部又は上部に、薬液タンク１内の空気が収縮したときに外部から空気を吸い込む小孔６を形成する。【選択図】図１
2010121308.tif 000002
【特許請求の範囲】
【請求項１】
薬液を収容する薬液タンクと、該薬液タンクの底部から垂下し、先端開口部に薬液タンクの薬液を保持する薬液吐出ノズルとを備えた薬液吐出容器において、薬液吐出ノズルの中間部又は上部に、薬液タンク内の空気が収縮したときに外部から空気を吸い込む小孔を形成したことを特徴とする薬液吐出容器。
【請求項２】
前記小孔の周囲に、フラッシュ水をよけるカバーを設けたことを特徴とする請求項１記載の薬液吐出容器。
【請求項３】
薬液吐出ノズルと薬液タンクの間を仕切り部材で仕切るとともに、該仕切り部材に、薬液吐出ノズルの先端開口部より開口面積が小さい小孔を形成したことを特徴とする請求項１又は２記載の薬液吐出容器。
【請求項４】
別部材で構成した仕切り部材を、薬液吐出ノズルに装着するようにしたことを特徴とする請求項３記載の薬液吐出容器。
【請求項５】
薬液吐出ノズルに、薬液吐出ノズルを配設したキャップを薬液タンクに嵌合することにより薬液タンクの容器栓を破封する突片を設けたことを特徴とする請求項１、２、３又は４記載の薬液吐出容器。
【発明の詳細な説明】
【技術分野】
【０００１】
本発明は、水洗トイレの手洗い部に載置される薬液吐出容器に関し、特に、フラッシュ水の薬液タンクへの浸入を防止するようにした薬液吐出容器に関するものである。
【背景技術】
【０００２】
従来、水洗トイレのロータンクの手洗い部に載置し、手洗い部上方のカランから供給されるフラッシュ水に洗浄芳香剤等の薬液を混合する薬液吐出容器がある。
例えば、下記の特許文献に開示されるように、薬液を収容する薬液タンクと、該薬液タンクの底部開口部に取り付けたキャップとからなり、キャップに薬液吐出ノズルと脚部を設けた構造の薬液吐出容器が提案されている。
【０００３】
この薬液吐出容器は、薬液吐出ノズルの先端開口部に、薬液が表面張力及び弱い負圧状態になることにより保持されており、この保持された薬液がフラッシュ水と接触することによりフラッシュ水に混合される。
【０００４】
ところで、このような薬液吐出容器では、フラッシュ水が薬液タンクを冷却すると、薬液タンク内の空気が収縮し、薬液吐出ノズルを介してフラッシュ水を吸い上げる。
フラッシュ水が吸い上げられると、フラッシュ水が薬液と置換して薬液タンク中に浸入し、薬液を希釈してしまうため、吐出される薬液の濃度が変化するという問題が生じる。
また、薬液はフラッシュ水が出る度に希釈されるため、薬液が必要量出ていても一見して薬液が減っていないように見え、粘度が下がった薬液が終了直前に一気になくなるという問題が発生する。
【特許文献１】特開２００４−１７６３６３号公報
【発明の開示】
【発明が解決しようとする課題】
【０００５】
本発明は、上記従来の薬液吐出容器が有する問題点に鑑み、フラッシュ水の薬液タンクへの浸入を防止するようにした薬液吐出容器を提供することを目的とする。
【課題を解決するための手段】
【０００６】
上記目的を達成するため、本発明の薬液吐出容器は、薬液を収容する薬液タンクと、該薬液タンクの底部から垂下し、先端開口部に薬液タンクの薬液を保持する薬液吐出ノズルとを備えた薬液吐出容器において、薬液吐出ノズルの中間部又は上部に、薬液タンク内の空気が収縮したときに外部から空気を吸い込む小孔を形成したことを特徴とする。
【０００７】
この場合において、前記小孔の周囲に、フラッシュ水をよけるカバーを設けることができる。
【０００８】
また、薬液吐出ノズルと薬液タンクの間を仕切り部材で仕切るとともに、該仕切り部材に、薬液吐出ノズルの先端開口部より開口面積が小さい小孔を形成することができる。
【０００９】
また、別部材で構成した仕切り部材を、薬液吐出ノズルに装着するようにすることができる。
【００１０】
また、薬液吐出ノズルに、薬液吐出ノズルを配設したキャップを薬液タンクに嵌合することにより薬液タンクの容器栓を破封する突片を設けることができる。
【発明の効果】
【００１１】
本発明の薬液吐出容器によれば、薬液を収容する薬液タンクと、該薬液タンクの底部から垂下し、先端開口部に薬液タンクの薬液を保持する薬液吐出ノズルとを備えた薬液吐出容器において、薬液吐出ノズルの中間部又は上部に、薬液タンク内の空気が収縮したときに外部から空気を吸い込む小孔を形成することにより、フラッシュ水で薬液タンク内の空気が収縮した場合でも、前記小孔が外部から空気を吸い込むことにより、薬液吐出ノズルの先端開口部からのフラッシュ水の吸い上げを防止することができ、これにより、フラッシュ水の薬液タンクへの浸入を防止し、薬液の希釈を防止することができる。
【００１２】
また、前記小孔の周囲に、フラッシュ水をよけるカバーを設けることにより、フラッシュ水で小孔が塞がれたり、フラッシュ水が小孔に侵入することを防止することができる。
【００１３】
また、薬液吐出ノズルと薬液タンクの間を仕切り部材で仕切るとともに、該仕切り部材に、薬液吐出ノズルの先端開口部より開口面積が小さい小孔を形成することにより、フラッシュ水で薬液タンク内の空気が収縮し、薬液吐出ノズルの先端開口部からフラッシュ水を吸い上げても、吸い上げたフラッシュ水と薬液タンクの薬液とを仕切り部材により遮断し、フラッシュ水の薬液タンクへの浸入を抑制することができ、これによっても、薬液の希釈を抑制することができる。
【００１４】
また、別部材で構成した仕切り部材を、薬液吐出ノズルに装着するようにすることにより、薬液タンクに収容された薬液の粘度等の性状に合わせた適切な直径の小孔を形成した仕切り部材を容易に選択することができる。
【００１５】
また、薬液吐出ノズルに、薬液吐出ノズルを配設したキャップを薬液タンクに嵌合することにより薬液タンクの容器栓を破封する突片を設けることにより、薬液タンクの容器栓の破封を容易に行うことができる。
【発明を実施するための最良の形態】
【００１６】
以下、本発明の薬液吐出容器の実施の形態を、図面に基づいて説明する。
【実施例１】
【００１７】
図１〜図５に、本発明の薬液吐出容器の一実施例を示す。
この薬液吐出容器は、水洗トイレのロータンクの手洗い部に載置され、手洗い部上方のカランから供給されるフラッシュ水に洗浄芳香剤等の薬液を混合するもので、薬液を収容する薬液タンク１と、該薬液タンク１の底部から垂下し、先端開口部２１に薬液タンク１の薬液を保持する薬液吐出ノズル２とを備えている。
そして、この薬液吐出容器は、薬液吐出ノズル２の中間部に、薬液タンク１内の空気が収縮したときに外部から空気を吸い込む小孔６を形成するようにしている。
また、この薬液吐出容器は、薬液吐出ノズル２と薬液タンク１の間を仕切り部材３で仕切るとともに、該仕切り部材３に、薬液吐出ノズル２の先端開口部２１より開口面積が小さい小孔３１を形成している。
【００１８】
薬液タンク１は、下部中心の開口部１１を容器栓１２で封をした構造を有し、その下部にはキャップ４が嵌合により取着される。容器栓１２はこのキャップ４の嵌合により破封される。
キャップ４には、薬液吐出ノズル２と脚部５が該キャップ４と一体に設けられており、薬液吐出ノズル２の先端開口部２１には、薬液タンク１から流れ出た薬液が表面張力により保持される。
薬液吐出ノズル２の先端開口部２１は、フラッシュ水に浸漬する下端位置にあり、この先端開口部２１がフラッシュ水で洗われることにより、ロータンク内に薬液が安定的に供給される。
【００１９】
薬液吐出ノズル２は、キャップ４から上下に延設された筒状のものからなり、下端位置に直径が２〜１０ｍｍ、本実施例においては、直径が２ｍｍの先端開口部２１を備えている。
また、薬液吐出ノズル２の上端位置には、キャップ４を嵌合することにより薬液タンク１の容器栓１２を破封する突片２２が設けられている。
薬液吐出ノズル２の上部は、この破封により薬液タンク１に挿入され、薬液タンク１と一体化する。
そして、これにより、薬液タンク１の容器栓１２の破封を容易に行うことができる。
【００２０】
小孔６は、薬液がその表面張力により漏出しないで保持される大きさ、例えば、直径が約１ｍｍ程度の大きさに形成されており、本実施例では、薬液吐出ノズル２がオフセット状に小径となるキャップ底壁を兼ねた部分に２個設けられている。
また、小孔６の周囲には、フラッシュ水をよけるカバー７が設けられている。
このカバー７は、本実施例では、薬液吐出ノズル２の周壁と、薬液吐出ノズル２の隣接する２枚の補強リブ２４と、これら補強リブ２４の間に差し渡すように配設された外壁部材２５（一部の図では省略している）とによって構成されている。
【００２１】
薬液吐出ノズル２の上部には、１つの小孔３１を有する仕切り部材３が、薬液吐出ノズル２と薬液タンク１の間を仕切るように装着されている。
仕切り部材３は、本実施例では有底筒状に形成され、底壁の中心に小孔３１を形成しているが、下部が細くなるように形成し、そのテーパの先端部の中心に小孔３１を形成することもできる。
【００２２】
仕切り部材３の小孔３１は、薬液の粘度、薬液吐出ノズル２の先端開口部２１の直径等に応じて、適宜設定する（薬液吐出ノズル２の先端開口部２１より開口面積を小さく設定する）ことができるが、通常、１〜５ｍｍ、より好ましくは、１〜２ｍｍ、本実施例においては、１．５ｍｍの直径に設定することにより、薬液タンク１から薬液吐出ノズル２への薬液供給を良好に保ちながら、吸い上げられたフラッシュ水が薬液タンク１内に浸入することを遮断することができる。
この場合、薬液吐出ノズル２の仕切り部材３より下では、吸い上げられたフラッシュ水で薬液は薄められるが、仕切り部材３より上は小孔３１によってフラッシュ水が概ね遮断される。
このように、別部材で構成した仕切り部材３を、薬液吐出ノズル２に装着するようにすることにより、薬液タンク１に収容された薬液の粘度等の性状に合わせた適切な直径の小孔３１を形成した仕切り部材３を容易に選択することができる。
【００２３】
また、仕切り部材３の小孔３１の位置は、薬液の粘度等に応じて、適宜設定することができるが、薬液吐出ノズル２の先端開口部２１から仕切り部材３の小孔３１までの距離Ｌが、１０〜４０ｍｍ、より好ましくは、１５〜３５ｍｍ、本実施例においては、薬液の粘度が２０〜３０ｃｐｓの場合で、３０ｍｍ程度に設定するようにし（薬液の粘度が大きい場合には、距離Ｌを小さく設定し、薬液の粘度が小さい場合には、距離Ｌを大きく設定するようにすることが好ましい。）、これによって、両者の間に所定容量の液溜まり２３を形成するようにし、吸い上げられたフラッシュ水が薬液タンク１内に浸入することをより確実に遮断することができる。
【００２４】
なお、仕切り部材３は、本実施例では薬液吐出ノズル２に別部材で構成したものを挿入するようにしているが、薬液吐出ノズルの上部や薬液タンクの開口部に一体に設けることも可能である。
【００２５】
かくして、本実施例の薬液吐出容器によれば、薬液を収容する薬液タンク１と、該薬液タンク１の底部から垂下し、先端開口部に薬液タンク１の薬液を保持する薬液吐出ノズル２とを備えた薬液吐出容器において、薬液吐出ノズル２の中間部に、薬液タンク１内の空気が収縮したときに外部から空気を吸い込む小孔６を形成することにより、フラッシュ水で薬液タンク１内の空気が収縮した場合でも、前記小孔６が外部から空気を吸い込むことにより、薬液吐出ノズル２の先端開口部からのフラッシュ水の吸い上げを防止することができ、これによって、フラッシュ水の薬液タンク１への浸入を防止し、薬液の希釈を防止することができる。
【００２６】
また、前記小孔６の周囲に、フラッシュ水をよけるカバー７を設けることにより、フラッシュ水で小孔６が塞がれたり、フラッシュ水が小孔６に侵入することを防止することができる。
【００２７】
また、薬液吐出ノズル２と薬液タンク１の間を仕切り部材３で仕切るとともに、該仕切り部材３に、薬液吐出ノズル２の先端開口部２１より開口面積が小さい小孔３１を形成することにより、フラッシュ水で薬液タンク１内の空気が収縮し、薬液吐出ノズル２の先端開口部２１からフラッシュ水を吸い上げても、吸い上げたフラッシュ水と薬液タンク１の薬液とを仕切り部材３により遮断し、吸い上げられたフラッシュ水が薬液タンク１内に浸入することを遮断することができ、これによっても、薬液の希釈を抑制することができる。
【００２８】
また、別部材で構成した仕切り部材３を、薬液吐出ノズル２に装着するようにすることにより、薬液タンク１に収容された薬液の粘度等の性状に合わせた適切な直径の小孔３１を形成した仕切り部材３を容易に選択することができる。
【００２９】
また、薬液吐出ノズル２に、薬液吐出ノズル２を配設したキャップを薬液タンク１に嵌合することにより薬液タンク１の容器栓１２を破封する突片２２を設けることにより、薬液タンク１の容器栓１２の破封を容易に行うことができる。
【００３０】
以上、本発明の薬液吐出容器について、その実施例に基づいて説明したが、本発明は上記実施例に記載した構成に限定されるものではなく、小孔を薬液吐出ノズルの上部に形成するなど、その趣旨を逸脱しない範囲において適宜その構成を変更することができる。
【産業上の利用可能性】
【００３１】
本発明の薬液吐出容器は、フラッシュ水の薬液タンクへの浸入を防止するという特性を有していることから、水洗トイレの手洗い部に載置される薬液吐出容器として、広く好適に用いることができる。
【図面の簡単な説明】
【００３２】
【図１】本発明の薬液吐出容器の一実施例を示し、（ａ）は一部断面正面図、（ｂ）は一部断面側面図である。
【図２】同薬液吐出容器を示し、（ａ）はキャップの断面図、（ｂ）は薬液タンクの断面図である。
【図３】同薬液吐出容器の３面図である。
【図４】同薬液吐出容器を示し、（ａ）はキャップの平面図、（ｂ）は同正面図、（ｃ）は同断面正面図、（ｄ）は同底面図、（ｅ）は同側面図、（ｆ）は同断面側面図、（ｇ）は仕切り部材の平面図、（ｈ）は同断面図である。
【図５】同薬液吐出容器を示し、（ａ）は薬液タンクの側面図、（ｂ）は同平面図、（ｃ）は同正面図、（ｄ）は同底面図、（ｅ）は容器栓の平面図、（ｆ）は同一部断面正面図、（ｇ）は同底面図である。
【符号の説明】
【００３３】
１    薬液タンク
１１  開口部
１２  容器栓
２    薬液吐出ノズル
２１  先端開口部
２２  突片
２３  液溜まり
２４  補強リブ
２５  外壁部材
３    仕切り部材
３１  小孔
４    キャップ
５    脚部
６    小孔
７    カバー
【図１】
2010121308.tif 000003
【図２】
2010121308.tif 000004
【図３】
2010121308.tif 000005
【図４】
2010121308.tif 000006
【図５】
2010121308.tif 000007